(57)【要約】      （修正有）【課題】風が吹いたときに騒音が発生しないスクリーンを提供する。【解決手段】ルーバー材１と、ルーバー材１が取付く取付材とを備え、ルーバー材１は、ルーバー材本体１３と目板５とからなり、ルーバー材本体１３は、後面にルーバー材１を取付材に取付けるための金具を収納する取付金具収納溝４を有し、目板５は、取付金具収納溝４に係合取付けして取付金具収納溝４を覆ってあり、ルーバー材１の見込面１４ａ，１４ｂと後面２２との境界部６にＲ面７を有している。【選択図】図１
2022000565.tif 000002
【特許請求の範囲】
【請求項１】
ルーバー材と、ルーバー材が取付く取付材とを備え、ルーバー材は、ルーバー材本体と目板とからなり、ルーバー材本体は、後面にルーバー材を取付材に取付けるための金具を収納する取付金具収納溝を有し、目板は、取付金具収納溝に係合取付けして取付金具収納溝を覆ってあり、ルーバー材の見込面と後面との境界部にＲ面を有していることを特徴とするスクリーン。
【発明の詳細な説明】
【技術分野】
【０００１】
本発明は、風が吹いたときに騒音が発生するのを防止したスクリーンに関する。
【背景技術】
【０００２】
従来より、ルーバー材を間隔をおいて配置したスクリーンが知られている。そうしたスクリーンは、風が吹いたときに騒音が発生する問題がある。従来のスクリーンは、ビルの屋上の空調設備の室外機等の意匠隠しが主であったため、風騒音が発生しても問題にならなかったが、近年スクリーンを建築物の意匠性向上や日射遮熱の観点で使用されることが多くなり、それに伴って風騒音が発生しないスクリーンが求められている。
【発明の概要】
【発明が解決しようとする課題】
【０００３】
本発明は以上に述べた実情に鑑み、風が吹いたときに騒音が発生しないスクリーンの提供を目的とする。
【課題を解決するための手段】
【０００４】
上記の課題を達成するために請求項１記載の発明によるスクリーンは、ルーバー材と、ルーバー材が取付く取付材とを備え、ルーバー材は、ルーバー材本体と目板とからなり、ルーバー材本体は、後面にルーバー材を取付材に取付けるための金具を収納する取付金具収納溝を有し、目板は、取付金具収納溝に係合取付けして取付金具収納溝を覆ってあり、ルーバー材の見込面と後面との境界部にＲ面を有していることを特徴とする。
【発明の効果】
【０００５】
請求項１記載の発明によるスクリーンは、ルーバー材と、ルーバー材が取付く取付材とを備え、ルーバー材は、ルーバー材本体と目板とからなり、ルーバー材本体は、後面にルーバー材を取付材に取付けるための金具を収納する取付金具収納溝を有し、目板は、取付金具収納溝に係合取付けして取付金具収納溝を覆ってあり、ルーバー材の見込面と後面との境界部にＲ面を有していることで、風が吹いたときに騒音が発生しない。
【図面の簡単な説明】
【０００６】
【図１】本発明のスクリーンの第１実施形態を示すルーバー材の縦断面図である。
【図２】第１実施形態のスクリーンの後側から見た斜視図である。
【図３】第１実施形態のスクリーンの縦断面図である。
【図４】本発明のスクリーンの第２実施形態を示すルーバー材の縦断面図である。
【図５】本発明のスクリーンの第３実施形態を示すルーバー材の縦断面図である。
【図６】本発明のスクリーンの第４実施形態を示すルーバー材の縦断面図である。
【図７】本発明のスクリーンの第５実施形態を示すルーバー材の縦断面図である。
【発明を実施するための形態】
【０００７】
以下、本発明の実施の形態を図面に基づいて説明する。図１〜３は、本発明のスクリーンの第１実施形態を示している。本スクリーンは、学校等の建物の屋外側に外観の意匠性向上や日射遮熱等の目的で設置されるものであって、図２，３に示すように、建物の躯体１０に固定して左右方向に間隔をおいて設置した取付材２，２，…と、取付材２，２，…の屋外側面に上下方向に間隔をおいて取付けたルーバー材１，１，…とを備える。本スクリーンは、図３に示すように、建物の階ごとに設置されており、スクリーンと建物の外壁１１との間には１〜２メートルの広い隙間１２が設けられている。そのため本スクリーンは、前方から風が吹いたときだけでなく、風がスクリーンの後側に回り込み、建物側から風が吹いたときでも騒音が発生しないように対策を講じたものとなっている。
【０００８】
ルーバー材１は、図１に示すように、ルーバー材本体１３と、ルーバー材本体１３の後面に取付けた目板５とからなる。ルーバー材本体１３は、アルミニウム合金の押出形材で形成したものであって、図１に示すように、上下の見込面１４ａ，１４ｂと前面１５と後面１６を有する矩形状の中空断面となっている。ルーバー本体１３の前面側は、前方に膨らむＲ面となっており、見込面１４ａ，１４ｂと前面１５との境界部にＲ面１７が形成されている。後面１６には、ルーバー材本体１３を取付材２に取付けるための金具３（図２参照）を収納する取付金具収納溝４が設けてある。取付金具収納溝４は、一対の内向き突片１８，１８を有する略Ｃ字形断面に形成してある。
【０００９】
目板５は、アルミ形材で形成したものであり、図１に示すように、ルーバー材本体１３の後面１６を覆うカバー片１９と、前方に向けて突出する一対の係合片２０，２０を有している。一対の係合片２０，２０は、ルーバー材本体１３の内向き突片１８，１８の先端部間に後方より弾発的に係合し、カバー片１９をルーバー材本体１３の後面１６に引き付けて固定している。カバー片１９は、ルーバー材本体１３の前面１５と同様に後方に膨らむＲ面となっており、ルーバー材１の見込面１４ａ，１４ｂと後面２２との境界部６にＲ面７が形成されている。カバー片１９の上縁及び下縁は、ルーバー材本体１３の見込面１４ａ，１４ｂと連続する位置までのびており、ルーバー材本体１３と目板５との境目には小さなＲ面２１ａ，２１ｂが形成してある。
ルーバー材１は、このように目板５を取付けることで、取付金具収納溝４が覆われるとともに、見込面１４ａ，１４ｂと後面２２との境界部６にＲ面７が形成されている。しかも本ルーバー材１は、目板５を取付けることで、後面側の形状を前面側とほぼ同じ形状としてある。
【００１０】
次に、本スクリーンの施工手順を説明する。まず、躯体１０の屋外側端部に取付材２，２，…を所定の間隔で取付ける。次に、取付材２，２，…にルーバー材本体１３，１３，…を架設する。ルーバー材本体１３の取付けは、図２に示すように、ボルト２３を後方に突出して保持した金具３をルーバー材本体１３の取付金具収納溝４に小口から挿入し、取付材２の前方位置まで金具３をスライドさせて、ボルト１３を取付材２に形成した切り欠き２４に側方より挿入し、ボルト２３に後方からナット２５を螺合して締め付けて行う。その後、取付金具収納溝４に後方から目板５を係合取付けし、取付金具収納溝４を目板５で塞ぐ。その後、目板５の長手方向の両端部を後方からビス２６でルーバー材本体１３に固定する。
【００１１】
一般的に、ルーバー材に溝や段差、エッジ等があると、風が吹いたときにそのエッジ等の風下側に渦が発生し、それに伴ってルーバー材が振動して騒音が生ずる。本スクリーンは、上述のとおり、ルーバー材１の取付金具収納溝４を目板５で塞いであるとともに、ルーバー材１の見込面１４ａ，１４ｂと後面２２との境界部６にＲ面７が形成してあることで、後方から風が吹いたときに騒音が発生しない。ルーバー材１の前面１５と見込面１４ａ，１４ｂとの境界部にもＲ面１７が形成してあるので、前方から風が吹いたときにも騒音が発生しない。ルーバー材１は、目板５を取付けることで後面側の形状を前面側とほぼ同じ形状としてあるため、躯体側から見たときと屋外側から見たときで同じように見え、意匠性が良い。
【００１２】
図４は、本発明のスクリーンの第２実施形態を示している。本実施形態は、ルーバー材本体１３の上下の見込面１４ａ，１４ｂの後端部にＲ面８が形成してある。ルーバー材本体１３の見込面１４ａ，１４ｂと前面１５との境界部にも、同様にＲ面１７が形成してある。目板５は、カバー片１９が薄い平らな板状となっており、その上下縁部がルーバー本体１３のＲ面８までのびている。目板５の上下縁部には、小さなＲ面２７が形成してある。
本実施形態のルーバー材１も、見込面１４ａ，１４ｂと後面２２との境界部６にＲ面８が形成してあるので、第１実施形態と同様に、後方から風が吹いたときに騒音が発生しない。
【００１３】
図５は、本発明のスクリーンの第３実施形態を示している。ルーバー材１は、上下の見込面１４ａ，１４ｂが屋外側に向かって下向きに傾斜した略平行四辺形状の断面形状となっている。
ルーバー材本体１３は、上下の見込面１４ａ，１４ｂの後端部にＲ面８が形成してある。ルーバー材本体１３の前側端部は、半円弧状のＲ面１７となっている。
目板５は、ルーバー材本体１３の後面１６を覆うカバー片１９を有し、カバー片１９は、上部と下部にＲ面９ａ，９ｂを有し、ルーバー材本体１３のＲ面８と目板５のＲ面９ａ，９ｂとが連続している。カバー片１９の上下縁部には、小さなＲ面２８が形成してある。
本実施形態のルーバー材１も、見込面１４ａ，１４ｂと後面２２との境界部６にＲ面８，９ａ，９ｂが形成してあるので、第１実施形態と同様に、後方から風が吹いたときに騒音が発生しない。
【００１４】
図６は、本発明のスクリーンの第４実施形態を示している。ルーバー材本体１３は、前後方向が長い略矩形断面の中空形材となっており、上下の見込面１４ａ，１４ｂと前面１５との境界部にＲ面１７，１７が形成してある。目板５は、ルーバー材本体１３の後面を覆うカバー片１９の上下の縁部にＲ面７，７を形成して角を無くしてある。Ｒ面７，７の先端部には、内側に折り返した折り返し片２９，２９を有し、折り返し片２９，２９はルーバー材本体１３の後面１６に当接しており、ルーバー材本体１３の見込面１４ａ，１４ｂと目板５のＲ面７，７とは、段差なく連続している。これにより本ルーバー材１は、見込面１４ａ，１４ｂと後面２２との境界部６にＲ面７，７を有するものとなっている。また本ルーバー材１は、目板５を取付けることで、後面側の形状を前面側とほぼ同じ形状としてある。
目板５の係合片２０，２０は、取付金具収納溝４の底面４ａ付近までのばしてあり、係合片２０，２０の先端部２０ａ，２０ａが取付金具収納溝４の底面４ａに当接する当接部としてある。これにより、ビス２６を締め付けたときにビス２６の軸力が係合片２０，２０を介して取付金具収納溝４の底面４ａに伝わるため、ビス２６を締め付けることで目板５が変形するのを防止し、目板５をビス２６で強固に固定できる。
【００１５】
図７は、本発明のスクリーンの第５実施形態を示している。本実施形態のルーバー材１は、第４実施形態と比較して見付寸法（上下寸法）が大きく、見込寸法（前後寸法）が小さく、正方形に近い矩形断面となっている。
目板５は、第４実施形態と同様に、ルーバー材本体１３の後面を覆うカバー片１９の上下の縁部にＲ面７，７が形成してあって、ルーバー材１の見込面１４ａ，１４ｂと後面２２を当該Ｒ面７，７で連続させてある。
また目板５は、係合片２０，２０の先端部に取付金具収納溝４の底面４ａに当接する当接部２０ａ，２０ａを有するとともに、カバー片１９のビス２６の近傍よりハの字形に広がるようにやや傾斜してのびる一対の脚片３０，３０を有し、脚片３０，３０の先端部３０ａ，３０ａを取付金具収納溝４の底面４ａに当接する当接部としてある。このように、係合片２０，２０と別に脚片３０，３０を設け、脚片３０，３０の先端部３０ａ，３０ａも取付金具収納溝４の底面４ａに当接させることで、目板５の見付寸法が大きい場合でもビス２６の締め付けによる目板５の変形を防止し、目板５をビス２６で強固に固定できる。
【００１６】
以上に述べたように本スクリーン（第１〜５実施形態）は、ルーバー材１，１，…と、ルーバー材１，１，…が取付く取付材２，２，…とを備え、ルーバー材１は、ルーバー材本体１３と目板５とからなり、ルーバー材本体１３は、後面にルーバー材１を取付材２に取付けるための金具３を収納する取付金具収納溝４を有し、目板５は、取付金具収納溝４に係合取付けして取付金具収納溝４を覆ってあり、ルーバー材１の見込面１４ａ，１４ｂと後面２２との境界部６にＲ面７，８，９ａ，９ｂが形成してあることで、後方から風が吹いたときに騒音が発生しない。さらに、ルーバー材１の見込面１４ａ，１４ｂと前面１５との境界部にもＲ面１７が形成してあるので、前方から風が吹いたときにも騒音が発生しない。
第１，４，５実施形態のスクリーンは、ルーバー材１の見込面１４ａ，１４ｂと後面２２との境界部６のＲ面７は、目板５に形成してあるので、後方から見て目板５とルーバー材本体１３との境目のラインが表れず、すっきりした意匠になる。しかもルーバー材１は、目板５を取付けることで後面側の形状を前面側とほぼ同じ形状としてあるので、躯体側から見たときと屋外側から見たときで同じように見え、意匠性が良い。
第２実施形態のスクリーンは、ルーバー材１の見込面１４ａ，１４ｂと後面２２との境界部６のＲ面８は、ルーバー材本体１３の見込面１４ａ，１４ｂの後端部に形成してあるので、目板５に必ずしもＲ面を形成する必要がなく、目板５の形状を単純にできる。
第３実施形態のスクリーンは、ルーバー材１の見込面１４ａ，１４ｂと後面２２との境界部６のＲ面は、目板５に形成したＲ面９ａ，９ｂとルーバー材本体１３の見込面１４ａ，１４ｂの後端部に形成したＲ面８とを連続して形成してあるので、ルーバー材本体１３と目板５とをＲ面同士で滑らかに連続させられ、騒音を抑える機能と意匠性が優れている。
第４，５実施形態のスクリーンは、目板５は、ルーバー材本体１３の取付金具収納溝４の底面４ａに当接する当接部２０ａ，３０ａを有しているため、目板５をルーバー材本体１３に固定するビス２６を締め付けたときに目板５が変形するのを防止し、目板５をビス２６で強固に固定できる。
【００１７】
本発明は以上に述べた実施形態に限定されない。ルーバー材（ルーバー材本体及び目板）と取付材の形状、材質は、適宜変更することができる。本発明のスクリーンは、ルーバー材を縦方向に取付けたものであってもよい。本発明のスクリーンは、取付材にルーバー材を取付けたものであればよく、その用途や設置の目的等は問わない。
【符号の説明】
【００１８】
１  ルーバー材
２  取付材
３  金具
４  取付金具収納溝
５  目板
６  見込面と後面との境界部
７，８，９ａ，９ｂ  Ｒ面
【図１】
2022000565.tif 000003
【図２】
2022000565.tif 000004
【図３】
2022000565.tif 000005
【図４】
2022000565.tif 000006
【図５】
2022000565.tif 000007
【図６】
2022000565.tif 000008
【図７】
2022000565.tif 000009